(57)【特許請求の範囲】
【請求項１】
周波数方向の撮像視野、エコー時間、周波数方向の解像度、およびバンド幅の間に成り立つ第１の関係式を記憶する第１の記憶手段、
前記バンド幅の値として使用可能な複数の候補値を記憶する第２の記憶手段、
操作者の操作に応じて、前記周波数方向の撮像視野の値と、前記エコー時間の値を受け取る受取手段、
前記受取手段が受け取った前記周波数方向の撮像視野の値と前記エコー時間の値を、前記第１の関係式に代入することにより、前記周波数方向の解像度と前記バンド幅との間に成り立つ第２の関係式を規定する規定手段、
前記第２の記憶手段に記憶された複数の候補値の各々を前記第２の関係式の前記バンド幅に代入することにより、前記複数の候補値の各々に対応する前記周波数方向の解像度を計算する計算手段、
前記計算手段により計算された複数の周波数方向の解像度のうち、最大の周波数方向の解像度を検出する検出手段、
前記検出手段により検出された前記最大の周波数方向の解像度が、整数であるか否かを判定する第１の判定手段、
前記最大の周波数方向の解像度を、前記最大の周波数方向の解像度に最も近い整数値の周波数方向の解像度に補正する第１の補正手段、および
前記第１の判定手段が、前記最大の周波数方向の解像度が整数ではないと判定した場合、前記第１の補正手段が、前記最大の周波数方向の解像度を前記整数値の周波数方向の解像度に補正するように制御する第１の補正制御手段、
を有する解像度最適化装置。
【請求項２】
前記第１の判定手段が、前記最大の周波数方向の解像度が整数であると判定した場合、前記最大の周波数方向の解像度を表示し、前記第１の判定手段が、前記最大の周波数方向の解像度が整数ではないと判定した場合、前記整数値の周波数方向の解像度を表示する表示手段、
を有する請求項１に記載の解像度最適化装置。
【請求項３】
前記表示手段は、
前記最大の周波数方向の解像度又は前記整数値の周波数方向の解像度を表示する表示部、および
前記第１の判定手段が、前記最大の周波数方向の解像度が整数であると判定した場合、前記表示部に前記最大の周波数方向の解像度が表示され、前記第１の判定手段が、前記最大の周波数方向の解像度が整数ではないと判定した場合、前記表示部に前記整数値の周波数方向の解像度が表示されるように、前記表示部を制御する表示制御手段、
を有する請求項２に記載の解像度最適化装置。
【請求項４】
前記第２の記憶手段に記憶された前記バンド幅の複数の候補値のうち、前記最大の周波数方向の解像度が得られるときの候補値を選択するバンド幅選択手段、
を有する請求項３に記載の解像度最適化装置。
【請求項５】
前記表示制御手段は、前記バンド幅選択手段により選択された候補値が前記表示部に表示されるように、前記表示部を制御する、請求項４に記載の解像度最適化装置。
【請求項６】
前記表示部に表示されたバンド幅が前記操作者の操作に応じて変更されたか否かを検出するバンド幅変更有無検出手段、
前記バンド幅変更有無検出手段が、前記表示部により表示されたバンド幅が変更されたことを検出した場合、変更されたバンド幅を前記第２の関係式に代入することにより、前記変更されたバンド幅に対応する前記周波数方向の解像度を再計算する再計算手段、
前記再計算手段により再計算された周波数方向の解像度が、整数であるか否かを判定する第２の判定手段、
前記再計算された周波数方向の解像度を、前記再計算された周波数方向の解像度に最も近い整数値の周波数方向の解像度に補正する第２の補正手段、および
前記第２の判定手段が、前記再計算された周波数方向の解像度が整数ではないと判定した場合、前記第２の補正手段が、前記再計算された前記周波数方向の解像度を前記整数値の周波数方向の解像度に補正するように制御する第２の補正制御手段、
を有する請求項５に記載の解像度最適化装置。
【請求項７】
前記表示制御手段は、
前記第２の判定手段が、前記再計算された周波数方向の解像度が整数であると判定した場合、前記表示部に前記再計算された前記周波数方向の解像度が表示され、前記第２の判定手段が、前記再計算された周波数方向の解像度が整数ではないと判定した場合、前記表示部に前記整数値の周波数方向の解像度が表示されるように、前記表示部を制御する、請求項６に記載の解像度最適化装置。
【請求項８】
前記表示部に表示されたバンド幅が前記操作者の操作に応じて変更されるたびに、前記バンド幅変更有無検出手段と、前記再計算手段と、前記第２の判定手段と、前記第２の補正手段と、前記第２の補正制御手段と、前記表示制御手段とが繰返し実行されるように制御する繰返し制御手段、を有する請求項７に記載の解像度最適化装置。
【請求項９】
請求項１〜７のうちのいずれか一項に記載の解像度最適化装置を有するＭＲＩ装置。
【請求項１０】
周波数方向の撮像視野、エコー時間、周波数方向の解像度、およびバンド幅の間に成り立つ第１の関係式を記憶する第１の記憶ステップ、
前記バンド幅の値として使用可能な複数の候補値を記憶する第２の記憶ステップ、
操作者の操作に応じて、前記周波数方向の撮像視野の値と、前記エコー時間の値を受け取る受取ステップ、
前記受取ステップにより受け取られた前記周波数方向の撮像視野の値と前記エコー時間の値を、前記第１の関係式に代入することにより、前記周波数方向の解像度と前記バンド幅との間に成り立つ第２の関係式を規定する規定ステップ、
前記第２の記憶ステップにより記憶された複数の候補値の各々を前記第２の関係式の前記バンド幅に代入することにより、前記複数の候補値の各々に対応する前記周波数方向の解像度を計算する計算ステップ、
前記計算ステップにより計算された複数の周波数方向の解像度のうち、最大の周波数方向の解像度を検出する検出ステップ、
前記検出ステップにより検出された前記最大の周波数方向の解像度が、整数であるか否かを判定する第１の判定ステップ、
前記最大の周波数方向の解像度を、前記最大の周波数方向の解像度に最も近い整数値の周波数方向の解像度に補正する第１の補正ステップ、および
前記第１の判定ステップにより、前記最大の周波数方向の解像度が整数ではないと判定された場合、前記第１の補正ステップにより、前記最大の周波数方向の解像度が前記整数値の周波数方向の解像度に補正されるように制御する第１の補正制御ステップ、
を有する解像度最適化方法。
【請求項１１】
前記第１の判定ステップが、前記最大の周波数方向の解像度が整数であると判定した場合、前記最大の周波数方向の解像度を表示し、前記第１の判定ステップが、前記最大の周波数方向の解像度が整数ではないと判定した場合、前記整数値の周波数方向の解像度を表示する表示ステップ、
を有する請求項１０に記載の解像度最適化方法。
【請求項１２】
前記表示ステップは、
前記第１の判定ステップが、前記最大の周波数方向の解像度が整数であると判定した場合、表示部に前記最大の周波数方向の解像度が表示され、前記第１の判定ステップが、前記最大の周波数方向の解像度が整数ではないと判定した場合、前記表示部に前記整数値の周波数方向の解像度が表示されるように、前記表示部を制御する表示制御ステップ、
を有する請求項１１に記載の解像度最適化装置。
【請求項１３】
前記第２の記憶ステップにより記憶された前記バンド幅の複数の候補値のうち、前記最大の周波数方向の解像度が得られるときの候補値を選択するバンド幅選択ステップ、
を有する請求項１２に記載の解像度最適化方法。
【請求項１４】
前記表示制御ステップは、前記バンド幅選択ステップにより選択された候補値が前記表示部に表示されるように、前記表示部を制御する、請求項１３に記載の解像度最適化方法。
【請求項１５】
前記表示部に表示されたバンド幅が前記操作者の操作に応じて変更されたか否かを検出するバンド幅変更有無検出ステップ、
前記バンド幅変更有無検出ステップが、前記表示部により表示されたバンド幅が変更されたことを検出した場合、変更されたバンド幅を前記第２の関係式に代入することにより、前記変更されたバンド幅に対応する前記周波数方向の解像度を再計算する再計算ステップ、
前記再計算ステップにより再計算された周波数方向の解像度が、整数であるか否かを判定する第２の判定ステップ、
前記再計算された周波数方向の解像度を、前記再計算された周波数方向の解像度に最も近い整数値の周波数方向の解像度に補正する第２の補正ステップ、および
前記第２の判定ステップが、前記再計算された周波数方向の解像度が整数ではないと判定した場合、前記第２の補正ステップによって、前記再計算された前記周波数方向の解像度が前記整数値の周波数方向の解像度に補正されるように制御する第２の補正制御ステップ、
を有する請求項１４に記載の解像度最適化方法。
【請求項１６】
前記表示制御ステップは、
前記第２の判定ステップが、前記再計算された周波数方向の解像度が整数であると判定した場合、前記表示部に前記再計算された前記周波数方向の解像度が表示され、前記第２の判定ステップが、前記再計算された周波数方向の解像度が整数ではないと判定した場合、前記表示部に前記整数値の周波数方向の解像度が表示されるように、前記表示部を制御する、請求項１５に記載の解像度最適化方法。
【請求項１７】
前記表示部に表示された前記バンド幅が前記操作者の操作に応じて変更されるたびに、前記バンド幅変更有無検出ステップと、前記再計算ステップと、前記第２の判定ステップと、前記第２の補正ステップと、前記第２の補正制御ステップと、前記表示制御ステップとが繰返し実行されるように制御する繰返し制御ステップ、を有する請求項１６に記載の解像度最適化方法。
【請求項１８】
周波数方向の撮像視野、エコー時間、周波数方向の解像度、およびバンド幅の間に成り立つ第１の関係式を記憶する第１の記憶手段と、前記バンド幅の値として使用可能な複数の候補値を記憶する第２の記憶手段とを有する解像度最適化装置を、
操作者の操作に応じて、前記周波数方向の撮像視野の値と、前記エコー時間の値を受け取る受取手段、
前記受取手段が受け取った前記周波数方向の撮像視野の値と前記エコー時間の値を、前記第１の関係式に代入することにより、前記周波数方向の解像度と前記バンド幅との間に成り立つ第２の関係式を規定する規定手段、
前記第２の記憶手段に記憶された複数の候補値の各々を前記第２の関係式の前記バンド幅に代入することにより、前記複数の候補値の各々に対応する前記周波数方向の解像度を計算する計算手段、
前記計算手段により計算された複数の周波数方向の解像度のうち、最大の周波数方向の解像度を検出する検出手段、
前記検出手段により検出された前記最大の周波数方向の解像度が、整数であるか否かを判定する第１の判定手段、
前記最大の周波数方向の解像度を、前記最大の周波数方向の解像度に最も近い整数値の周波数方向の解像度に補正する第１の補正手段、および
前記第１の判定手段が、前記最大の周波数方向の解像度が整数ではないと判定した場合、前記第１の補正手段が、前記最大の周波数方向の解像度を前記整数値の周波数方向の解像度に補正するように制御する第１の補正制御手段、
として機能させるためのプログラム。
【発明の詳細な説明】
【技術分野】
【０００１】
本発明は、周波数方向の解像度を最適化するための解像度最適化装置、解像度最適化方法、およびＭＲＩ（Magnetic Resonance Imaging）装置、並びにそのためのプログラムに関する。
【背景技術】
【０００２】
ＭＲＩ装置で被検体の腹部を撮像する場合、腹部における脂肪の存在を調べるために、Out of Phase画像やIn Phase画像を使用することがある。
【非特許文献１】笠井俊文著  「診療画像機器学」第１版  株式会社オーム社  平成１８年１２月５日  ｐ．２８９−２９０
【発明の開示】
【発明が解決しようとする課題】
【０００３】
In PhaseやOut of Phaseでは、特定のエコー時間ＴＥでデータを収集する必要がある。したがって、ＭＲＩの操作者が選んだバンド幅ＢＷの値によっては、周波数方向の解像度を小さくしなければIn PhaseやOut of PhaseでのＴＥを実現することができないことがある。この場合、ＭＲＩ装置の操作者は、ＢＷなどの他のパラメータの値を変更することによって、解像度を大きくすることができる。しかし、ＴＥは特定の値に保持しなければならないので、操作者は、ＴＥは特定の値に保持するが解像度はできるだけ大きくするようなパラメータの値を探し出さなければならず、解像度の最適化に時間が掛かるという問題がある。
【０００４】
本発明は、上記の事情に鑑み、解像度の最適化を容易に行うことができる解像度最適化装置、解像度最適化方法、およびＭＲＩ装置、並びにそのためのプログラムを提供することを目的とする。
【課題を解決するための手段】
【０００５】
上記の問題を解決する本発明の解像度最適化装置は、
周波数方向の撮像視野、エコー時間、周波数方向の解像度、およびバンド幅の間に成り立つ第１の関係式を記憶する第１の記憶手段、
上記バンド幅の値として使用可能な複数の候補値を記憶する第２の記憶手段、
操作者の操作に応じて、上記周波数方向の撮像視野の値と、上記エコー時間の値を受け取る受取手段、
上記受取手段が受け取った上記周波数方向の撮像視野の値と上記エコー時間の値を、上記第１の関係式に代入することにより、上記周波数方向の解像度と上記バンド幅との間に成り立つ第２の関係式を規定する規定手段、
上記第２の記憶手段に記憶された複数の候補値の各々を上記第２の関係式の上記バンド幅に代入することにより、上記複数の候補値の各々に対応する上記周波数方向の解像度を計算する計算手段、
上記計算手段により計算された複数の周波数方向の解像度のうち、最大の周波数方向の解像度を検出する検出手段、
上記検出手段により検出された上記最大の周波数方向の解像度が、整数であるか否かを判定する第１の判定手段、
上記最大の周波数方向の解像度を、上記最大の周波数方向の解像度に最も近い整数値の周波数方向の解像度に補正する第１の補正手段、および
上記第１の判定手段が、上記最大の周波数方向の解像度が整数ではないと判定した場合、上記第１の補正手段が、上記最大の周波数方向の解像度を上記整数値の周波数方向の解像度に補正するように制御する第１の補正制御手段、
を有する。
【０００６】
また、上記目的を達成する本発明の解像度最適化方法は、
周波数方向の撮像視野、エコー時間、周波数方向の解像度、およびバンド幅の間に成り立つ第１の関係式を記憶する第１の記憶ステップ、
上記バンド幅の値として使用可能な複数の候補値を記憶する第２の記憶ステップ、
操作者の操作に応じて、上記周波数方向の撮像視野の値と、上記エコー時間の値を受け取る受取ステップ、
上記受取ステップにより受け取られた上記周波数方向の撮像視野の値と上記エコー時間の値を、上記第１の関係式に代入することにより、上記周波数方向の解像度と上記バンド幅との間に成り立つ第２の関係式を規定する規定ステップ、
上記第２の記憶ステップにより記憶された複数の候補値の各々を上記第２の関係式の上記バンド幅に代入することにより、上記複数の候補値の各々に対応する上記周波数方向の解像度を計算する計算ステップ、
上記計算ステップにより計算された複数の周波数方向の解像度のうち、最大の周波数方向の解像度を検出する検出ステップ、
上記検出ステップにより検出された上記最大の周波数方向の解像度が、整数であるか否かを判定する第１の判定ステップ、
上記最大の周波数方向の解像度を、上記最大の周波数方向の解像度に最も近い整数値の周波数方向の解像度に補正する第１の補正ステップ、および
上記第１の判定ステップにより、上記最大の周波数方向の解像度が整数ではないと判定された場合、上記第１の補正ステップにより、上記最大の周波数方向の解像度が上記整数値の周波数方向の解像度に補正されるように制御する第１の補正制御ステップ、
を有する。
【０００７】
また、上記目的を達成する本発明のプログラムは、
周波数方向の撮像視野、エコー時間、周波数方向の解像度、およびバンド幅の間に成り立つ第１の関係式を記憶する第１の記憶手段と、上記バンド幅の値として使用可能な複数の候補値を記憶する第２の記憶手段とを有する解像度最適化装置を、
操作者の操作に応じて、上記周波数方向の撮像視野の値と、上記エコー時間の値を受け取る受取手段、
上記受取手段が受け取った上記周波数方向の撮像視野の値と上記エコー時間の値を、上記第１の関係式に代入することにより、上記周波数方向の解像度と上記バンド幅との間に成り立つ第２の関係式を規定する規定手段、
上記第２の記憶手段に記憶された複数の候補値の各々を上記第２の関係式の上記バンド幅に代入することにより、上記複数の候補値の各々に対応する上記周波数方向の解像度を計算する計算手段、
上記計算手段により計算された複数の周波数方向の解像度のうち、最大の周波数方向の解像度を検出する検出手段、
上記検出手段により検出された上記最大の周波数方向の解像度が、整数であるか否かを判定する第１の判定手段、
上記最大の周波数方向の解像度を、上記最大の周波数方向の解像度に最も近い整数値の周波数方向の解像度に補正する第１の補正手段、および
上記第１の判定手段が、上記最大の周波数方向の解像度が整数ではないと判定した場合、上記第１の補正手段が、上記最大の周波数方向の解像度を上記整数値の周波数方向の解像度に補正するように制御する第１の補正制御手段、
として機能させる。
【０００８】
また、本発明のＭＲＩ装置は、本発明の解像度最適化装置を有している。
【発明の効果】
【０００９】
本発明では、周波数方向の撮像視野、エコー時間、周波数方向の解像度、およびバンド幅の間に成り立つ第１の関係式が記憶される。第１の関係式の上記周波数方向の撮像視野の値とエコー時間の値は、操作者の操作に応じて決定することができる。決定された上記周波数方向の撮像視野の値と上記エコー時間の値は、第１の関係式に代入され、その結果、上記周波数方向の解像度と上記バンド幅との間に成り立つ第２の関係式が規定される。第２の関係式では、撮像視野およびエコー時間が決定されているので、その撮像視野およびエコー時間を満たす条件下で、周波数方向の解像度を最大にするバンド幅の値が算出される。したがって、周波数方向の解像度の最適化を容易に行うことができる。
【発明を実施するための最良の形態】
【００１０】
以下、図面を参照しながら、発明を実施するための最良の形態を詳細に説明する。尚、本発明は、発明を実施するための最良の形態に限定されるものではない。 
【００１１】
図１は、ＭＲＩ（Magnetic Resonance Imaging）装置１００のブロック図の一例である。このＭＲＩ装置１００は発明を実施するための最良の形態の一例である。
【００１２】
ＭＲＩ装置１００は、マグネットアセンブリ１０１を有している。マグネットアセンブリ１０１は、被検体１０を挿入するためのボア１１４を有している。また、マグネットアセンブリ１０１は、超電導磁石１０１Ｃと、勾配コイル１０１Ｇと、送信コイル１０１Ｔと、を有している。
【００１３】
超電導磁石１０１Ｃはボア１１４内に一定の静磁場を印加する。勾配コイル１０１Ｇは、勾配コイル駆動回路１０３に接続されており、Ｘ軸，Ｙ軸，Ｚ軸の勾配磁場を発生する。送信コイル１０１Ｔは、ＲＦ電力増幅器１０４に接続されており、ボア１１４内にＲＦパルスを供給する。
【００１４】
また、ＭＲＩ装置１００は、ベローズ１１５および心拍センサ１１６を有している。
【００１５】
ベローズ１１５は、被検体１０の呼吸を検出し、呼吸信号１１５ａを出力する。また、心拍センサ１１６は、被検体１０の心拍を検出し、心電信号１１６ａを出力する。
【００１６】
コントローラ１０７は、呼吸信号１１５ａおよび心電信号１１６ａを受け取り、被検体１０の呼吸状態および心拍状態を計算する。また、コントローラ１０７は、ＭＲＩ装置１００の操作者２００が操作部１１３から入力したデータに基づいて、後述するバンド幅ＢＷおよび周波数方向の解像度（以下、単に「解像度」と呼ぶ）解像度Xresを計算する。コントローラ１０７は、バンド幅ＢＷおよび解像度Xresを計算する場合、必要に応じて、メモリ１０８に記憶された種々のデータを参照する。
【００１７】
また、コントローラ１０７は、被検体１０の呼吸状態および心拍状態と、計算したＢＷおよび解像度Xresに基づいて、勾配コイル駆動回路１０３およびゲート変調回路１０９などを制御する。勾配コイル駆動回路１０３は、コントローラ１０７からの指令に従って勾配コイル１０１Ｇを駆動し、この結果、勾配コイル１０１Ｇは被検体１０に勾配パルスを印加する。ゲート変調回路１０９は、コントローラ１０７からの指令に従って、ＲＦ発振回路１１０からの搬送波を変調し、その変調信号をＲＦ電力増幅器１０４に出力する。ＲＦ電力増幅器１０４は、変調信号をパワー増幅した後、送信コイル１０１Ｔに印加し、この結果、送信コイル１０１Ｔは被検体１０に送信パルスを印加する。
【００１８】
また、ＭＲＩ装置１００は受信コイル１０１Ｒを有している。受信コイル１０１Ｒは、前置増幅器１０５に接続されており、被検体１０からのＭＲ信号を受信する。このＭＲ信号は前置増幅器１０５によって増幅され、レシーバ１１２に供給される。レシーバ１１２は、増幅されたＭＲ信号をデジタル信号に変換し、コントローラ１０７に出力する。
【００１９】
コントローラ１０７は、レシーバ１１２からのデジタル信号に基づいて画像を再構成する。再構成された画像は、表示部１０６に表示される。ＭＲＩ装置１００の操作者２００は、操作部１１３を通じてインタラクティブにＭＲＩ装置１００を操作することができる。
【００２０】
図２は、ＭＲＩ装置１００が実行するパルスシーケンスの一例を示す概略図である。
【００２１】
勾配コイル１０１Ｇはスライス勾配パルスＧｓを印加する。スライス勾配パルスＧｓが印加されている間に、送信コイル１０１ＴはＲＦパルスＰrfを送信する。
【００２２】
勾配コイル１０１Ｇは、周波数勾配パルスＧf0およびＧf1も印加する。勾配コイル１０１Ｇは周波数勾配パルスＧf0を印加した後、周波数勾配パルスＧf1を印加する。
【００２３】
上記のように、送信コイル１０１ＴがＲＦパルスPrfを印加し、勾配コイル１０１Ｇが、スライス勾配パルスＧｓ、周波数勾配パルスＧf0およびＧf1を印加することによって、被検体１０からエコー信号Ｓｅが得られる。
【００２４】
エコー信号Ｓｅは受信コイル１０１Ｒで受信され、前置増幅器１０５で増幅される。増幅されたエコー信号Ｓｅはレシーバ１１２に供給される。レシーバ１１２は、受け取ったエコー信号Ｓｅをデジタル変換し、コントローラ１０７に出力する。コントローラ１０７は画像を再構成し、この画像が表示部１０６に表示される。
【００２５】
表示部１０６に高品質な画像が表示されるようにするためには、解像度Xresができるだけ大きいことが好ましい。解像度Xresを大きくするためには、バンド幅ＢＷを大きくすることが考えられる。しかし、解像度Xresは、撮像視野FOVxやエコー時間ＴＥの値にも依存しているので、バンド幅ＢＷを大きくすればするほど解像度Xresが大きくなるわけではない。したがって、ＭＲＩ装置１００の操作者２００が解像度Xresを最大にするバンド幅ＢＷを経験的に求めようとすると、非常に時間がかかる。そこで、本実施形態では、ＭＲＩ装置１００の操作者２００が解像度Xresを最大にするバンド幅ＢＷを経験的に求めるのではなく、ＭＲＩ装置１００が、解像度Xresを最大にするバンド幅ＢＷを計算によって求めている。以下に、本実施形態において、解像度Xresを最大にするバンド幅ＢＷを算出する原理について説明する。
【００２６】
図３は、解像度Xresを最大にするバンド幅ＢＷの算出原理の説明図である。図３には、図２のＲＦパルスＰrf、および周波数勾配パルスＧf0およびＧf1が示されている。尚、図３に使用されている記号は、以下の通りである。
【００２７】
Ｇmax    ：周波数勾配パルスＧf0の最大勾配
Ｇread    ：周波数勾配パルスＧf1の勾配
ＳＲ      ：スリューレート
γ        ：磁気回転比
iso_delay ：ＲＦパルスＰrfのピークから終わりまでの時間
FOVx    ：周波数方向の撮像視野
ＴＥ      ：エコー時間
Xres      ：周波数方向の解像度（サンプリング数）
ＢＷ      ：バンド幅
Δｔ      ：サンプリング時間
Ｔf0      ：周波数勾配パルスＧf0の平坦部Ｆt0の時間
Ｔr0      ：周波数勾配パルスＧf0の勾配部Ｒp0の時間
Ｔr1      ：周波数勾配パルスＧf1の勾配部Ｒp1の時間
Ｔf1      ：周波数勾配パルスＧf1の平坦部Ｆt1の時間である。
【００２８】
エコー時間ＴＥは、以下の式（１）で表すことができる。
ＴＥ＝iso_delay＋Ｔf0＋２Ｔr0＋Ｔr1＋Ｔf1／２      ・・・（１）
【００２９】
式（１）の中のＴr0は、周波数勾配パルスＧf0の最大勾配ＧmaxとスリューレートＳＲを用いて、以下の式（２）で表すことができる。
Ｔr0＝Ｇmax／ＳＲ      ・・・（２）
【００３０】
式（１）の中のＴr1は、勾配ＧreadとスルーレートＳＲを用いて、以下の式（３）で表すことができる。
Ｔr1＝Ｇread／ＳＲ      ・・・（３）
【００３１】
周波数勾配パルスＧf1の最大勾配Ｇreadと、周波数方向の撮像視野（以下、単に「撮像視野」と呼ぶ）FOVxと、バンド幅ＢＷとの関係は、磁気回転比γを用いて以下の式（４）で表すことができる。
γ・Gread＝・２ＢＷ／FOVx      ・・・（４）
【００３２】
周波数勾配パルスＧf1の開始時刻ｔｂと中間時刻ｔｃとの間の面積area_half（図３のハッチングで示された部分）は、以下の式（５）で表すことができる。
area_half＝（Ｔf1/２＋（Ｔf1/２＋Ｔr1））・Ｇread／２
＝（Ｔf1＋Ｔr1）・Ｇread／２                ・・・（５）
【００３３】
Ｔf1はXresとΔｔの積であるので、Ｔf1は、以下の式（６）で表すことができる。
Ｔf1＝Xres・Δｔ      ・・・（６）
Xresは、正の整数である。図３には、Xres＝ｚの場合が概略的に示されている。
【００３４】
また、Δｔ＝１/ＢＷ      ・・・（７）
式（７）を式（６）に代入すると、以下の式（８）が得られる。
Ｔf1＝Xres/ＢＷ      ・・・（８）
【００３５】
式（８）を式（５）に代入すると、以下の式が得られる
area_half＝（Xres／ＢＷ＋Ｔr1）・Ｇread／２      ・・・（９）
【００３６】
また、周波数勾配パルスＧf0の面積area_preは、以下の式（１０）で表すことができる。
area_pre＝（Ｔf0＋（２Ｔr0＋Ｔf0））・Ｇmax／２
＝（Ｔf0＋Ｔr0）・Ｇmax                  ・・・（１０）
【００３７】
面積area_halfは、面積area_preに等しいので、式（９）および（１０）から、以下の式（１１）が成り立つ。
（Ｔf0＋Ｔr0）・Ｇmax＝（Ｔr1＋Xres／ＢＷ）・Ｇread／２      ・・・（１１）
【００３８】
式（２）、（３）、（４）、および（１１）を式（１）に代入し、整理すると、以下の式（１２）が導出される。
【数１】
0005184146.tif 000002
式（１２）の右辺の値は、７個のパラメータ（Ｇmax，ＳＲ，γ，iso_delay，FOVx，ＴＥ，およびＢＷ）により決定される。
【００３９】
式（１２）の右辺は複雑であるので、右辺を関数Ｆを使って表すと、式（１２）は、以下の式（１３）で表すことができる。
Xres＝Ｆ（Ｇmax，ＳＲ，γ，iso_delay，FOVx，ＴＥ，ＢＷ）・・・（１３）
【００４０】
７個のパラメータ（Ｇmax，ＳＲ，γ，iso_delay，FOVx，ＴＥ，およびＢＷ）のうち、Ｇmax、ＳＲ、γ、およびiso_delayは、ＭＲＩ装置１００の使用条件などによって決まる定数である。したがって、ＭＲＩ装置１００の使用条件などが決まれば、式（１３）は、以下の関係式（１４）で表すことができる。
Xres＝Ｆ（FOVx，ＴＥ，ＢＷ）      ・・・（１４）
【００４１】
したがって、式（１４）において、撮像視野FOVxとエコー時間ＴＥが決定されれば、式（１４）は、以下の関係式（１５）で表すことができる。
Xres＝Ｆ（ＢＷ）      ・・・（１５）
【００４２】
式（１５）は、解像度Xresとバンド幅ＢＷとの間に成り立つ関係を規定している。したがって、式（１５）の右辺Ｆ（ＢＷ）を最大にするときのバンド幅ＢＷを算出することができれば、自動的に解像度Xresの最大値が得られる。
【００４３】
上記の説明のポイントは、以下の２つにまとめることができる。
（１）ＭＲＩ装置１００の使用条件などが決まれば、解像度Xresは３つのパラメータ（FOVx、ＴＥ、およびＢＷ）を用いて表すことができる（式（１４）参照）。
（２）３つのパラメータ（FOVx、ＴＥ、およびＢＷ）のうち、２つのパラメータ（FOVxおよびＴＥ）が決定すれば、解像度Xresはバンド幅ＢＷに応じて決定される値である（式（１５）参照）。
【００４４】
本実施形態では、上記の２つのポイント（１）および（２）に着目し、式（１４）をメモリ１０８の関係式記憶部１０８ｂに記憶し、操作者２００に、関係式（１４）の２つのパラメータ（FOVxおよびＴＥ）を決定させている。操作者２００が２つのパラメータ（FOVxおよびＴＥ）を決定することによって、関係式（１５）が規定される。ＭＲＩ装置１００は、この関係式（１５）を使用して、解像度Xresを最大にするバンド幅ＢＷを計算している。このようなバンド幅ＢＷを計算できるようにするため、コントローラ１０７およびメモリ１０８は、以下のように構成されている。
【００４５】
図４は、コントローラ１０７およびメモリ１０８の構成を概略的に示す図である。
【００４６】
メモリ１０８は、関係式記憶部１０８ａとバンド幅記憶部１０８ｂとを有している。
【００４７】
本実施形態では、関係式記憶部１０８ａには、関係式（１４）が記憶されている。関係式（１４）は、ＭＲＩ装置１００の使用条件などによって決まる４つのパラメータＧmax、ＳＲ、γ、およびiso_delayを式（１２）に代入することにより決定されている。本実施形態では、４つのパラメータＧmax、ＳＲ、γ、およびiso_delayとして、以下の値を使用している。
【００４８】
Ｇmax  ：５０ｍＴ／ｍ
ＳＲ    ：１５０ｍＴ／ｍ／ｍｓ
γ      ：４．２５７５
iso_delay：１ｍｓ
【００４９】
上記の４つのパラメータを式（１２）に代入することによって、以下に示すように、解像度Xresを、エコー時間ＴＥとバンド幅ＢＷと撮像領域FOVxとによって表した関係式（１４）が得られる。
【数２】
0005184146.tif 000003
また、バンド幅記憶部１０８ｂには、バンド幅ＢＷとして使用可能なｎ個のバンド幅の候補値（バンド幅ＢＷ１〜ＢＷｎ）が記憶されている。
【００５０】
更に、メモリ１０８は、解像度Xresを計算するためのプログラム（図示せず）が格納されている。
【００５１】
コントローラ１０７は、メモリ１０８の関係式記憶部１０８ａおよびバンド幅記憶部１０８ｂとやり取りをしながら、ｎ個のバンド幅ＢＷ１〜ＢＷｎの中から、解像度Xresを最大にするバンド幅ＢＷαを選択している。このようなバンド幅ＢＷαを選択するため、コントローラ１０７は、以下のような機能ブロックを有している。
【００５２】
FOVx/ＴＥ受取部１１は、操作者２００が入力した撮像視野FOVxの値とエコー時間ＴＥの値を受け取る。
【００５３】
計算式規定部１２は、FOVx/ＴＥ受取部１１が受け取った撮像視野FOVxの値とエコー時間ＴＥの値を、メモリ１０８の関係式記憶部１０８ａに記憶された関係式（１４）に代入する。関係式（１４）は、４つの変数Xres、FOVx、ＴＥ、およびＢＷを有しているが、変数FOVxには、操作者２００が入力したFOVxの値が代入され、変数ＴＥには操作者２００が入力したエコー時間ＴＥの値が代入される。例えば、操作者２００が撮像視野FOVxの値として３０（cm）を入力し、エコー時間ＴＥの値として1.2（ms）を入力した場合、変数FOVxには３０（cm）が代入され、変数ＴＥには1.2（ms）が代入される。代入の結果、Xres＝Ｆ（ＢＷ）（関係式（１５））が規定される。
【００５４】
Xres計算部１３は、メモリ１０８のバンド幅記憶部１０８ｂに記憶されたｎ個のバンド幅ＢＷ１〜ＢＷnの各々をXres＝Ｆ（ＢＷ）に代入することにより、各バンド幅ＢＷ１〜ＢＷnに対応する解像度Xres1〜Xresｎを計算する。
【００５５】
Xresα検出部１４は、Xres計算部１３により計算されたｎ個の解像度Xres1〜Xresｎのうち、最大の解像度Xresαを検出する。
【００５６】
ＢＷα選択部１５は、メモリ１０８のバンド幅記憶部１０８ｂに記憶されたｎ個のバンド幅ＢＷ１〜ＢＷnのうち、最大の解像度Xresαが得られるときのバンド幅ＢＷαを選択する。
【００５７】
Xresα判定部１６は、Xresα検出部１４により検出された最大の解像度Xresαが整数であるか否かを判定し、判定結果ＲＪαを生成する。
【００５８】
Xresα補正部１７は、最大の解像度Xresαを、最大の解像度Xresαに最も近い整数値の解像度Xresα’に補正する。
【００５９】
Xresα補正制御部１８は、Xresα判定部１６の判定結果ＲＪαが「解像度Xresαが整数ではない」旨を表す場合、Xresα補正部１７が最大の解像度Xresαを整数値の解像度Xresα’に補正するように制御する。
【００６０】
ＢＷ変更有無検出部２１は、表示部１０６に表示されたバンド幅が操作者２００によって変更されたか否かを検出する。
【００６１】
Xres再計算部２２は、変更されたバンド幅ＢＷ_chをXres＝Ｆ（ＢＷ）（関係式（１５）に代入することにより、変更されたのバンド幅ＢＷ_chに対応する解像度Xres_chを再計算する。
【００６２】
Xres_ch判定部２３は、Xres再計算部２２により再計算された解像度Xres_chが、整数であるか否かを判定し、判定結果ＲＪ_chを生成する。
【００６３】
Xres_ch補正部２４は、再計算された解像度Xres_chを、再計算された解像度Xres_chに最も近い整数値の解像度Xres_ch’に補正する。
【００６４】
Xres_ch補正制御部２５は、Xres_ch判定部２３の判定結果ＲＪ_chが「再計算された解像度Xres_chが整数ではない」旨を表す場合、Xres_ch補正部２４が解像度Xres_chを整数値の解像度Xres_ch’に補正するように制御する。
【００６５】
表示制御部４０は、表示部１０６に表示される値などを制御する。具体的には、表示制御部４０は、ＢＷ選択部１５がバンド幅ＢＷαを選択した場合、バンド幅ＢＷαが表示部１０６に表示されるように、表示部１０６を制御する。また、表示制御部４０は、Xresα判定部１６の判定結果ＲＪαに応じて、Xresα検出部１４が検出した最大の解像度Xresαを表示部１０６に表示するのか、それとも補正後の整数値の解像度Xresα’を表示部１０６に表示するのかを制御する。更に、表示制御部４０は、Xres_ch判定部２３の判定結果ＲＪ_chに応じて、解像度Xres_chを表示部１０６表示するのか、それとも補正後の整数値の解像度Xres_ch’を表示部１０６に表示するのかを制御する。
【００６６】
繰返し制御部２６は、表示部１０６に表示されたバンド幅が変更されるたびに、破線で囲まれた部分ＢＬの機能（ＢＷ変更有無検出部２１〜Xres_ch補正制御部２５、および表示制御部４０）が繰返し実行されるように制御する。
【００６７】
撮像実行命令部３１は、操作者２００が撮像実行命令を入力した場合、撮像が実行されるように、駆動回路１０３（図１参照）などに命令を伝送する。
【００６８】
実際には、コントローラ１０７は、メモリ１０８に格納されているプログラムを読み出して実行することにより、これら各部として機能する。
【００６９】
図４に示すコントローラ１０７、メモリ１０８、および表示部１０６によって、本発明の解像度最適化装置の一例が構成されている。
【００７０】
次に、上記のような機能を実行するコントローラ１０７を備えたＭＲＩ装置１００が、被検体１０を撮像する場合、どのような処理を実行するかについて具体的に説明する。
【００７１】
図５および図６は、ＭＲＩ装置１００の処理フローを示す図である。図５および図６の説明に当たっては、図４を参照しながら説明する。
【００７２】
先ず、ステップＳ１１において、表示部１０６に入力画面を表示する。
【００７３】
図７は、表示部１０６に表示された入力画面の一例である。
【００７４】
表示部１０６には、データ表示領域Ｒ１およびＲ２が表示されている。操作者２００は、データ表示領域Ｒ１に、操作者２００が撮像領域FOVxとして使用したい値を入力することができる。データ表示領域Ｒ１は、操作者２００が入力した値を表示する。また、操作者２００は、データ表示領域Ｒ２に、操作者２００がエコー時間ＴＥとして使用したい値を入力することができる。データ表示領域Ｒ２は、操作者２００が入力した値を表示する。図７に示す入力画面が表示された後、ステップＳ１２に進む。
【００７５】
ステップＳ１２では、操作者２００によってデータ表示領域Ｒ１およびＲ２に値が入力されたか否かを判断する。
【００７６】
図８は、操作者２００によりデータ表示領域Ｒ１およびＲ２に値が入力された画面の一例を示す。
【００７７】
図８では、説明の便宜上、データ表示領域Ｒ１には「FOV1」の文字が表示され、データ表示領域Ｒ２には「ＴＥ１」の文字が表示されている。しかし、実際には、データ表示領域Ｒ１およびＲ２には、操作者２００が撮像条件として使用したいと考える具体的な値が表示される。「FOV1」および「ＴＥ１」の具体的な値としては、例えば、以下の通りである。
【００７８】
FOV1：３０ｃｍ
ＴＥ１  ：1.2ｍｓ
【００７９】
図８に示すように、操作者２００が、データ表示領域Ｒ１およびＲ２に、それぞれ「FOV1」および「ＴＥ１」を入力すると、FOVx/ＴＥ受取部１１（図４参照）が、操作者２００が入力した撮像視野FOVxの値とエコー時間ＴＥの値を受け取る。その後、ステップＳ１３に進む。
【００８０】
ステップＳ１３では、計算式規定部１２（図４参照）が、メモリ１０８の関係式記憶部１０８ａに記憶された関係式（１４）から、関係式（１５）を規定する。具体的には、計算式規定部１２は、FOVx/ＴＥ受取部１１が受け取った撮像視野の値「FOV1」とエコー時間の値「ＴＥ１」を、関係式（１４）の変数FOVxと変数ＴＥに代入する。したがって、関係式（１４）の変数FOVxには「FOV1」が入力され、変数ＴＥには「ＴＥ１」が入力される。この結果、関係式（１４）の４つの変数のうちの２つの変数FOVxおよびＴＥが確定され、関係式（１４）から、解像度Xresとバンド幅ＢＷとの間に成り立つ関係式（１５）が規定される。「FOV1」および「ＴＥ１」が、それぞれ３０ｃｍおよび1.2ｍｓの場合、関係式（１５）は、以下のように規定される。
【数３】
0005184146.tif 000004
ステップＳ１３において、関係式（１５）が規定された後、ステップＳ１４に進む。
【００８１】
ステップＳ１４では、Xres計算部１３（図４参照）が、メモリ１０８のバンド幅記憶部１０８ｂに記憶されたｎ個のバンド幅ＢＷ１〜ＢＷｎの各々を、関係式（１５）に代入し、各バンド幅ＢＷ１〜ＢＷｎに対応する解像度Xres１〜Xresｎを計算する。その後、ステップＳ１５に進む。
【００８２】
ステップＳ１５では、Xresα検出部１４（図４参照）が、ステップＳ１４において計算されたｎ個の解像度Xres１〜Xresｎのうち、最大の解像度Xresαを検出する。その後、ステップＳ１６に進む。
【００８３】
ステップＳ１６では、ＢＷ選択部１５（図４参照）が、メモリ１０８のバンド幅記憶部１０８ｂに記憶されたｎ個のバンド幅ＢＷ１〜ＢＷnのうち、最大の解像度Xresαが得られるときのバンド幅ＢＷαを選択する。
【００８４】
ステップＳ１７では、Xresα判定部１６（図４参照）が、最大の解像度Xresαが整数であるかどうかを判定する。解像度Xresは整数の必要があるので（図３参照）、最大の解像度Xresαが整数ではない場合、撮像パラメータとして使用することはできない。したがって、最大の解像度Xresαが小数第１位以下の値を有している場合は、この解像度Xresαの値を撮像パラメータとしてそのまま使用することができない。そこで、Xresα判定部１６（図４参照）が、最大の解像度Xresαが整数ではないと判定した場合、ステップＳ１８に進む。
【００８５】
ステップＳ１８では、Xresα補正部１７（図４参照）が、最大の解像度Xresαを、最大の解像度Xresαに最も近い整数値の解像度Xresα’に補正する。整数値の解像度Xresα’に補正した後、ステップＳ１９に進む。
【００８６】
尚、ステップＳ１７において、Xresα判定部１６（図４参照）が、最大の解像度Xresαが整数であると判定した場合は、ステップＳ１８をスキップして、直接ステップＳ１９に進む。
【００８７】
ステップＳ１９では、表示制御部４０（図４参照）は、表示部１０６に、ステップＳ１６で選択されたバンド幅ＢＷαが表示されるように制御を行う。また、表示制御部４０（図４参照）は、Xresα判定部１６の判定結果ＲＪαに基づいて、表示部１０６に解像度Xresα又は解像度Xresα’が表示されように制御を行う。
【００８８】
図９は、ステップＳ１９の実行後の表示部１０６の画面を示す図である。図９（ａ）および（ｂ）には、撮像領域FOVxのデータ表示領域Ｒ１とエコー時間ＴＥのデータ表示領域Ｒ２の他に、解像度Xresのデータ表示領域Ｒ３と、バンド幅ＢＷのデータ表示領域Ｒ４が表示されている。図９（ａ）の表示部１０６では、データ表示領域Ｒ３に「Xresα」が表示され、データ表示領域Ｒ４に「ＢＷα」が表示されている。一方、図９（ｂ）の表示部１０６では、データ表示領域Ｒ４には、図９（ａ）と同様に、「ＢＷα」が表示されているが、データ表示領域Ｒ３には、図９（ａ）とは異なり、「Xresα’」が表示されている。ステップＳ１７において（図５参照）、最大の解像度Xresαが整数であると判定された場合、表示制御部４０（図４参照）は、表示部１０６に、図９（ａ）に示す画面が表示されるように制御を行う。一方、ステップＳ１７において、最大の解像度Xresαが整数ではないと判定された場合、表示制御部４０（図４参照）は、表示部１０６に、図９（ｂ）に示す画面が表示されるように制御を行う。以下では、表示部１０６に図９（ｂ）の画面が表示されたとして説明を続ける。「ＢＷα」は、例えば１２５ｋＨｚであり、「Xresα’」は、例えば３２０である。
【００８９】
ステップＳ１９において、表示部１０６に図９（ｂ）の画面が表示された後、ステップＳ２０（図６参照）に進む。
【００９０】
ステップＳ２０では、ＢＷ変更有無検出部２１が、表示部１０６に表示されたバンド幅ＢＷが変更されたか否かを判断する。図９（ｂ）では、バンド幅ＢＷ＝ＢＷαであるので、ＢＷαが変更されたか否かが判断される。操作者２００は、表示部１０６に表示されたバンド幅ＢＷαを別のバンド幅ＢＷ_chに変更することができる。
【００９１】
図１０は、操作者２００がバンド幅ＢＷをＢＷ_chに変更した様子を示す図である。
【００９２】
入力データ表示領域Ｒ４には、変更後のバンド幅ＢＷ_chが表示されている。変更後のバンド幅ＢＷ_chは、ｎ個のＢＷ１〜ＢＷnのうちのいずれかのバンド幅である。ただし、変更前のバンド幅ＢＷはＢＷαであるので、変更後のバンド幅ＢＷ_chは、ＢＷα以外のバンド幅である。変更後のバンド幅ＢＷ_chは、例えば、１００ｋＨｚである。
【００９３】
入力データ表示領域Ｒ３には、図９（ｂ）と同様に、解像度Xresα’が表示されている。解像度Xresα’は、バンド幅がＢＷαである場合に得られた値であるので、解像度Xresα’は、変更後のバンド幅ＢＷ_chに対しては、最適な値ではない。そこで、操作者２００がバンド幅ＢＷを変更した場合、解像度Xresα’を変更後のバンド幅ＢＷ_chに対応した値に変更するため、ステップＳ２０からステップＳ２１に進む。
【００９４】
ステップＳ２１では、Xres再計算部２２が、変更後のバンド幅ＢＷ_chを式（１４）に代入し、変更後のバンド幅ＢＷ_chに対応した解像度Xres_chを再計算する。その後、ステップＳ２２に進む。
【００９５】
ステップＳ２２では、Xres_ch判定部２３（図４参照）が、再計算された解像度Xres_chが整数であるかどうかを判定する。再計算された解像度Xres_chが整数でない場合は、ステップＳ２３に進む。
【００９６】
ステップＳ２３では、Xres_ch補正部２４（図４参照）が、再計算された解像度Xres_chを、再計算された解像度Xres_chに最も近い整数値の解像度Xres_ch’に補正する。整数値の解像度Xres_ch’に補正した後、ステップＳ２４に進む。
【００９７】
尚、ステップＳ２２において、解像度Xres_chが整数であると判断された場合は、ステップＳ２３をスキップして、直接ステップＳ２４に進む。
【００９８】
ステップＳ２４では、表示制御部４０（図４参照）は、Xres_ch判定部２３の判定結果ＲＪ_chに基づいて、表示部１０６の解像度Xresが、解像度Xres_ch又は解像度Xres_ch’に変更されるように制御を行う。
【００９９】
図１１は、ステップＳ２４の実行後の表示部１０６の画面を示す図である。図１１（ａ）の表示部１０６では、データ表示領域Ｒ３の値が「Xresα’」（図１０参照）から「Xres_ch」に変更されている。一方、図１１（ｂ）の表示部１０６では、データ表示領域Ｒ３の値が「Xresα’」（図１０参照）から「Xres_ch’」に変更されている。ステップＳ２２において再計算された解像度Xres_chが整数であると判断された場合は、表示制御部４０は、表示部１０６に、図１１（ａ）に示す画面が表示されるように制御を行う。一方、ステップＳ２２において再計算された解像度Xres_chが整数ではないと判断された場合、ステップＳ２３において解像度Xres_chが整数値の解像度Xres_ch’に補正されるので、表示制御部４０は、表示部１０６に、図１１（ｂ）に示す画面が表示されるように制御を行う。
【０１００】
以下では、表示部１０６に図１１（ｂ）の画面が表示されたとして説明を続ける。ステップＳ２４において、図１１（ｂ）の画面が表示された後、ステップＳ２０に戻る。
【０１０１】
ステップＳ２０に戻ると、ＢＷ変更有無検出部２１が、表示部１０６に表示されたバンド幅ＢＷが変更されたか否かを判断する。したがって、ステップＳ２０において、バンド幅ＢＷが変更されたと判断される限り、繰返し制御部２６（図４参照）は、ステップＳ２０からステップＳ２４のループが繰返し実行されるように制御を行う。
【０１０２】
一方、操作者２００が、バンド幅ＢＷを変更せず、撮像実行命令を入力すると、ステップＳ２５に進み、撮像が実行される。
【０１０３】
本実施形態では、メモリ１０８の関係式記憶部１０８ａには、関係式（１４）が記憶されている。この関係式（１４）は、撮像視野FOVx、エコー時間ＴＥ、解像度Xres、およびバンド幅ＢＷの間に成り立つ関係を表している。撮像視野FOVxの値とエコー時間ＴＥの値は、操作者２００が自由に決定することができる。操作者２００が決定した値は、関係式（１４）に代入され、その結果、解像度Xresとバンド幅ＢＷとの間に成り立つ関係式（１５）が規定される。また、メモリ１０８のバンド幅記憶部１０８ｂには、バンド幅ＢＷとして使用可能なｎ個の値ＢＷ１〜ＢＷｎが記憶されており、各ＢＷ１〜ＢＷｎを関係式（１５）に代入することによって、各ＢＷ１〜ＢＷｎに対応した解像度Xres１〜Xresｎが算出される。したがって、算出された解像度Xres１〜Xresｎの中から、最大の解像度Xresαを見つけ出すことによって、最大の解像度Xresαが得られるときのバンド幅ＢＷαを知ることがでる。このため、操作者２００は、最適な解像度が見つかるまでバンド幅ＢＷを何度も変更するような手間を省くことができ、解像度Xresの最適化を容易に行うことができる。
【０１０４】
また、解像度Xresαが整数である場合は、解像度Xresαは、撮像パラメータとしてそのまま使用することができるが、解像度Xresαが整数でない場合は、撮像パラメータとしては使用することができない。そこで、本実施形態では、Xresα補正部１７を備えている。Xresα補正部１７は、解像度Xresαが整数でない場合は、解像度Xresαを、解像度Xresαに最も近い整数値の解像度Xresα’に補正する。したがって、操作者２００は、表示部１０６を介して、撮像パラメータとして実際に使用可能な解像度を認識することができる。
【０１０５】
本実施形態では、ＢＷ変更有無検出部２１およびXres再計算部２２を有している。したがって、操作者２００がバンド幅ＢＷαを変更した場合、関係式（１５）を使用することによって、変更後のバンド幅ＢＷ_chに対応する解像度Xres_chを計算によって短時間で求めることができる。
【０１０６】
また、本実施形態では、Xres_ch判定部２３、Xres_ch補正部２４、およびXres_ch補正制御部２５を有している。したがって、再計算された解像度Xres_chが整数でなかった場合は、再計算された解像度Xres_chは、解像度Xres_chに最も近い整数値の解像度Xres_ch’に変更される。このため、操作者２００は、操作者２００が自分の意思でバンド幅ＢＷを変更しても、撮像パラメータとして実際に使用可能な解像度を認識することができる。
【０１０７】
更に、本実施形態では、繰返し制御部２６が備えられている。したがって、操作者２００が、バンド幅ＢＷを何度も変更したとしても、操作者２００がバンド幅ＢＷを変更するたびに、機能ブロック部ＢＬが繰返し実行される。このため、操作者２００は、バンド幅ＢＷを変更するたびに、撮像パラメータとして実際に使用可能な解像度を認識することができる。
【０１０８】
本実施形態では、解像度Xres、エコー時間ＴＥ、バンド幅ＢＷ、およびＦＯＶの間に成り立つ関係式として、式（１４）を関係式記憶部１０８ａに記憶している。しかし、本発明は、式（１）〜式（１３）を参照しながら式（１４）を導出した方法とは異なる方法で、Xres、ＴＥ、ＢＷ、およびＦＯＶの間に成り立つ別の関係式を導出し、この別の関係式を関係式記憶部１０８ａに記憶させてもよい。
【０１０９】
本実施形態では、コントローラ１０７はバンド幅ＢＷαを選択するＢＷα選択部１５を有している。しかし、バンド幅ＢＷαを選択する必要がなければ、ＢＷα選択部１５は必ずしも備える必要はない。
【０１１０】
本実施形態では、操作者２００が表示部１０６を見ることによって、バンド幅ＢＷの値および解像度Xresの値を確認することができる。しかし、操作者２００がこれらの値を確認する必要がなければ、必ずしも表示部１０６および表示制御部４０を備える必要はない。
【０１１１】
本実施形態では、操作者２００が表示部１０６に表示されたバンド幅を変更するたびに、新たな解像度Xres_ch又はXres_ch’が算出される。しかし、新たな解像度Xres_ch又はXres_ch’を算出する必要がなければ、バンド幅変更有無検出部２１〜Xres_ch補正制御部２５および繰返し制御部２６は、必ずしも備える必要はない。
【０１１２】
更に、本実施形態では、コントローラ１０７は、撮像実行命令部３１を有している。しかし、撮像実行を命令する必要がなければ、撮像実行命令部３１は必ずしも備える必要はない。
【図面の簡単な説明】
【０１１３】
【図１】ＭＲＩ（Magnetic Resonance Imaging）装置１００のブロック図の一例である。
【図２】ＭＲＩ装置１００が実行するパルスシーケンスの一例を示す概略図である。
【図３】解像度Xresを最大にするバンド幅ＢＷの算出原理の説明図である。
【図４】コントローラ１０７およびメモリ１０８の構成を概略的に示す図である。
【図５】ＭＲＩ装置１００の処理フローを示す図である。
【図６】ＭＲＩ装置１００の処理フローを示す図である。
【図７】表示部１０６に表示された入力画面の一例である。
【図８】操作者２００によりデータ表示領域Ｒ１およびＲ２に値が入力された画面の一例を示す。
【図９】ステップＳ１９の実行後の表示部１０６の画面を示す図である。
【図１０】操作者２００がバンド幅ＢＷをＢＷ_chに変更した様子を示す図である。
【図１１】ステップＳ２４の実行後の表示部１０６の画面を示す図である。
【符号の説明】
【０１１４】
１００  ＭＲＩ装置
１０１  マグネットアセンブリ
１０３  勾配コイル駆動回路
１０４  ＲＦ電力増幅器
１０５  前置増幅器
１０６  表示部
１０７  コントローラ
１０８  メモリ
１０８ａ  関係式記憶部
１０８ｂ  バンド幅記憶部
１０９  ゲート変調回路
１１０  ＲＦ発信回路
１１２  レシーバ
１１３  操作部
１１４  ボア
【図１】
0005184146.tif 000005
【図２】
0005184146.tif 000006
【図３】
0005184146.tif 000007
【図４】
0005184146.tif 000008
【図５】
0005184146.tif 000009
【図６】
0005184146.tif 000010
【図７】
0005184146.tif 000011
【図８】
0005184146.tif 000012
【図９】
0005184146.tif 000013
【図１０】
0005184146.tif 000014
【図１１】
0005184146.tif 000015